(57)【要約】【課題】吊下げた時に幕部材にしわが発生することのないタペストリーを提供する。【解決手段】タペストリー１を、シート状の幕部材２と、この幕部材２の下辺に沿って延び、幕部材２の下端部が取付けられる長尺な下芯材と、幕部材２の下端部が取付けられた下芯材を保持する長尺な下保持部材６と、幕部材２の上辺に沿って延び、幕部材２の上端部が取付けられる長尺な上芯材と、幕部材２の上端部が取付けられた上芯材を保持する長尺な上保持部材５とから構成する。そして、上保持部材５を、その長尺方向の両端部１１が、上保持部材５の中央部１２よりも縦方向の変位寸法Ｈだけ上方へ上がる形態に形成する。【選択図】図１
2008284078.tif 000002
【特許請求の範囲】
【請求項１】
幕部材と、
この幕部材の下端部が取付けられる長尺な下保持部材と、
前記幕部材の上端部が取付けられる長尺な上保持部材とを備え、
前記上保持部材を、その長尺方向の両端部が、当該上保持部材の中央部よりも上方へ上がる形態に形成したことを特徴とするタペストリー。
【請求項２】
幕部材と、
この幕部材の下端部が取付けられる長尺な下保持部材と、
前記幕部材の上端部が取付けられる長尺な上保持部材とを備え、
前記下保持部材を、その長尺方向の両端部が、当該下保持部材の中央部よりも下方へ下がる形態に形成したことを特徴とするタペストリー。
【請求項３】
下保持部材は、幕部材の下辺に沿って延び、当該幕部材の下端部が固着される長尺な下芯材を備えていることを特徴とする請求項１又は２記載のタペストリー。
【請求項４】
上保持部材は、幕部材の上辺に沿って延び、当該幕部材の上端部が固着される長尺な上芯材を備えていることを特徴とする請求項１又は２記載のタペストリー。
【請求項５】
幕部材は、表表示面部と裏表示面部とを有していることを特徴とする請求項１乃至４のいずれかに記載のタペストリー。
【発明の詳細な説明】
【技術分野】
【０００１】
本発明は、壁や天井等から吊下げられて使用されるタペストリーに関する。
【背景技術】
【０００２】
住宅、ビル等の壁や天井等から吊下げられて使用される装飾品として、タペストリーがある（例えば、特許文献１参照）。タペストリーは、店舗等で販売場所から荷物室や山積みされた段ボール箱等が見えないようにするために使用される場合もある。
【０００３】
図１３には、従来のタペストリー１０１が概略的に示されている。タペストリー１０１は、幕部材１０２を有している。幕部材１０２は、絵柄や広告等が付される表表示面部１０２ａを有しており、表表示面部１０２ａには、例えば「アイウエオ」の文字が付されている。幕部材１０２は、シート状のポリエステルからなり、横長の矩形状をなしている。
幕部材１０２の上端部及び下端部は、幕部材１０２の上辺に沿って横方向へ延びる長尺な上芯材及び下芯材に夫々固着されており（共に図示せず）、これにより、幕部材１０２を矩形状に保つことが可能になる。
【０００４】
幕部材１０２の上端部が固着された上芯材の外周には、これを覆って保持する長尺な上保持部材１０３が取付けられ、幕部材１０２の下端部が取付けられた下芯材の外周には、これを覆って保持する長尺な下保持部材１０４が取付けられている。
上保持部材１０３には、この内部から上方へ突出する取付け部材１０５が複数個設けられている。各取付け部材１０５には、接続部材のダルマ環１０６が取付けられている。ダルマ環１０６は、店舗内の壁等に設置されている横方向に延びる円筒状のタペストリー吊下げバー１０７に引っ掛けられている。
【０００５】
このようにして、タペストリー１０１が、取付け部材１０５及びダルマ環１０６を介してタペストリー吊下げバー１０７に引っ掛けられて吊下げられると、幕部材１０２は、下芯材及び下保持部材１０４の自重で下方へ引っ張られ、矩形状に広がった状態になる。
【特許文献１】特開２００６−１４１７１８号公報
【発明の開示】
【発明が解決しようとする課題】
【０００６】
従来のタペストリー１０１では、これを壁や天井等から吊下げた時に、幕部材１０２にしわが生じ、見栄えが良くないという不具合があった。幕部材１０２にしわが生じないようにするためには、幕部材１０２の上端部を上芯材に固着させる組立て作業の際に、幕部材１０２を横方向へ引っ張る必要がある。又、幕部材１０２の下端部を下芯材に固着させる組立て作業の際には、幕部材１０２を横方向及び下方向へ引っ張る必要がある。
【０００７】
しかしながら、組立て作業時において、幕部材１０２の横方向或いは下方向への引っ張りが不十分な場合には、図１３に示すように、しわＳが生じる場合がある。
しわＳが生じてしまった場合には、タペストリー１０１を分解して幕部材１０２を組付け直す作業を行うが、一度組立てたものを再度分解して組立て直すことは、作業効率が極めて悪く、かなりの労力を要す不具合があった。
【０００８】
本発明は、上記の事情に鑑みてなされたものであり、その目的は、吊下げた時に幕部材にしわが発生することのないタペストリーを提供することである。
【課題を解決するための手段】
【０００９】
上記目的を達成するために、請求項１の発明のタペストリーは、幕部材と、この幕部材の下端部が取付けられる長尺な下保持部材と、前記幕部材の上端部が取付けられる長尺な上保持部材とを備え、前記上保持部材を、その長尺方向の両端部が、当該上保持部材の中央部よりも上方へ上がる形態に形成したことを特徴としている。
【００１０】
上記の請求項１の発明のタペストリーによれば、上保持部材を、その長尺方向の両端部が、上保持部材の中央部よりも上方へ上がる形態に形成したので、タペストリーを吊下げると、幕部材は、下保持部材の自重で下方へ引っ張られると共に、横方向及び上方向へ引っ張られた状態になる。これにより、タペストリーを吊下げた時に、幕部材にしわが発生することがない。
【００１１】
又、上記目的を達成するために、請求項２の発明のタペストリーは、幕部材と、この幕部材の下端部が取付けられる長尺な下保持部材と、前記幕部材の上端部が取付けられる長尺な上保持部材とを備え、前記下保持部材を、その長尺方向の両端部が、当該下保持部材の中央部よりも下方へ下がる形態に形成したことを特徴としている。
【００１２】
上記の請求項２の発明のタペストリーによれば、下保持部材を、その長尺方向の両端部が、当該下保持部材の中央部よりも下方へ下がる形態に形成したので、タペストリーを吊下げると、幕部材は、下保持部材の自重で下方へ引っ張られると共に、横方向へも引っ張られた状態になる。これにより、タペストリーを吊下げた時に、幕部材にしわが発生することがない。
【発明の効果】
【００１３】
本発明のタペストリーによれば、タペストリーを吊下げた時に、幕部材にしわが発生することがない。
【発明を実施するための最良の形態】
【００１４】
以下、本発明の第１の実施形態を、図１乃至図３を参照して説明する。
図１には、タペストリー１が概略的に示されている。タペストリー１は、幕部材２を有している。幕部材２は、絵柄や広告等が付される表表示面部２ａを有しており、表表示面部２ａには、例えば「アイウエオ」の文字が付されている。幕部材２は、シート状のポリエステルからなり、横長の矩形状をなしている。
【００１５】
図２及び図３に示すように、幕部材２の上端部２ｂ及び下端部２ｃは、幕部材２の上辺及び下辺に沿って横方向へ延びる長尺な板状の上芯材３及び下芯材４に、夫々巻付けられて固着されている。これにより、幕部材２は矩形状に保たれている。
上芯材３及び下芯材４は、例えばアルミニウムからなり、湾曲可能である。尚、図示はしないが、上芯材３及び下芯材４の横方向（長尺方向）に延びる各側面には、接着剤が塗布されており、幕部材２の上端部２ｂ及び下端部２ｃが、上芯材３及び下芯材４に夫々巻回状態で接着固定されている。
【００１６】
幕部材２の上端部２ｂが固着された上芯材３の外周には、これを覆って保持する上保持部材５が設けられ、幕部材２の下端部２ｃが固着された下芯材４の外周には、これを覆って保持する下保持部材６が設けられている。
【００１７】
下保持部材６は、樹脂、例えばポリプロピレンからなり、横方向（軸方向）に延びる長尺な略円筒状をなしている。下保持部材６は、具体的には、図２に示すように、中間壁６ａと、この中間壁６ａの左右端（図２の左右端）から夫々円弧状に形成された外側壁６ｂ，６ｃ，６ｄ，６ｅと、外側壁６ｂ，６ｃの上端から下方に延びる側壁部６ｆ，６ｆと、外側壁６ｄ，６ｅの下端から上方に延びる側壁部６ｇ，６ｇとからなり、これらが一体に形成されている。側壁部６ｆ，６ｆ間にはスリット７が形成され、側壁部６ｇ，６ｇ間にはスリット８が形成されている。中間壁６ａ、外側壁６ｂ，６ｃにより上空間９が形成され、上空間９は、スリット７を介して外部に連通している。又、中間壁６ａ、外側壁６ｄ，６ｅにより下空間１０が形成され、下空間１０は、スリット８を介して外部に連通している。
【００１８】
そして、幕部材２の下端部２ｃが固着された下芯材４を、下保持部材６の上空間９に挿入すると、下芯材４は、幕部材２の下端部２ｃを介して側壁部６ｆ，６ｆの下端部に当接して保持される構成になる。
【００１９】
上保持部材５は、例えばアルミニウムからなり、図１に示すように、横方向（軸方向）に延びる長尺な略円筒状をなし、上保持部材５の横方向の両端部１１，１１が、上保持部材５の中央部１２よりも縦方向の変位寸法Ｈだけ上方へ上がる形態に形成されている。変位寸法Ｈは、具体的には、上保持部材５の横方向の長さＬ（例えば、２４００ｍｍ）に対して０．２％（５ｍｍ）〜１％（２４ｍｍ）が好ましく、０．４％（１０ｍｍ）がより好ましい。変位寸法Ｈがこの範囲内である上保持部材５を正面から見ると、上保持部材５が略水平に延びて見える。
【００２０】
上保持部材５は、具体的には、図２に示すように、中間壁５ａと、この中間壁５ａの左右端（図２の左右端）から夫々円弧状に形成された外側壁５ｂ，５ｃ，５ｄ，５ｅと、外側壁５ｂ，５ｃの上端から下方に延びる側壁部５ｆ，５ｆと、外側壁５ｄ，５ｅの下端から上方に延びる側壁部５ｇ，５ｇとからなり、これらが一体に形成されている。側壁部５ｆ，５ｆ間にはスリット１３が形成され、側壁部５ｇ，５ｇ間にはスリット１４が形成されている。中間壁５ａ、外側壁５ｂ，５ｃにより上空間１５が形成され、上空間１５は、スリット１３を介して外部に連通している。又、中間壁５ａ、外側壁５ｄ，５ｅにより下空間１６が形成され、下空間１６は、スリット１４を介して外部に連通している。
【００２１】
そして、幕部材２の上端部２ｂが固着された上芯材３を、上保持部材５の下空間１６に挿入すると、上芯材３は、幕部材２の上端部２ｂを介して側壁部５ｇ，５ｇの上端部に当接して保持される構成になる。このとき、上保持部材５の両端部１１，１１が、中央部１２よりも変位寸法Ｈだけ上方へ上がる形態をなしているため（図１参照）、上保持部材５の内部（下空間１６）に挿入された上芯材３も、上保持部材５の形態に対応して、両端部が中央部よりも変位寸法Ｈだけ上方へ上がる形態になる。
【００２２】
上保持部材５の上空間１５には、図１乃至図３に示すように、上空間１５からスリット１３を通って上方に突出する取付け部材１７が複数個、例えば６個設けられている。取付け部材１７は、逆Ｔ字状をなしており、中間壁５ａに対して平行に延びる水平部１７ａと、水平部１７ａの中央から上方へ延びる垂直部１７ｂとから構成されている。取付け部材１７の内部は、中空に形成されており、取付け部材１７の垂直部１７ｂの上部には、開口部１７ｃが形成されている。上保持部材５の上空間１５に取付け部材１７が挿入されると、水平部１７ａの上面が側壁部５ｆ，５ｆの下端部に当接されて固定される。
【００２３】
各取付け部材１７の開口部１７ｃには、接続部材としてのダルマ環１８の下端部が通されている。ダルマ環１８は、ダルマ状のクリップをなしている。ダルマ環１８の上端部は、店舗内の壁等に設置されている横方向に延びる円筒状のタペストリー吊下げバー１９に通されて引っ掛けられている。これにより、タペストリー１は、取付け部材１７及びダルマ環１８を介して、タペストリー吊下げバー１９から吊下げられた状態になる。
【００２４】
次に、上記のタペストリー１の作用及び効果について説明する。
幕部材２の上端部２ｂが固着された上芯材３が上保持部材５の内部（下空間１６）に挿入されて保持されると、上芯材３は、上保持部材５の形態に対応して、上芯材３の両端部が中央部よりも変位寸法Ｈだけ上方へ上がる形態になり、幕部材２は、横方向及び上方向に引っ張られた状態になる。又、幕部材２の下端部２ｃには下芯材４及び下保持部材６が取付けられているため、タペストリー１が、タペストリー吊下げバー１９から吊下げられると、幕部材２は、下芯材４及び下保持部材６の自重で下方へ引っ張られると共に、横方向及び上方向へ引っ張られた状態になる。
【００２５】
この結果、タペストリー１を吊下げた時に、幕部材２にしわが発生することがない。尚、組立て状態において幕部材２にしわが生じていても、タペストリー１が吊下げられると、幕部材２は、下芯材４及び下保持部材６の自重で下方へ引っ張られると共に、横方向及び上方向へ引っ張られた状態になり、しわがなくなる。
【００２６】
又、上保持部材５の両端部１１，１１を、中央部１２よりも、変位寸法Ｈだけ上方へ上がる形態に形成し、この変位寸法Ｈを、上保持部材５の横方向の長さＬ（２４００ｍｍ）に対して０．２％（５ｍｍ）〜１％（２４ｍｍ）、より好ましくは０．４％（１０ｍｍ）としたので、タペストリー１を正面から見ても、上保持部材５が略水平に延びているように見えて見栄えが良く、且つ、幕部材２のしわがなくし得る。
【００２７】
次に、本発明の第２の実施形態を、図４を参照して説明する。尚、上記第１の実施形態と同様な一部分には同符号を付し、その詳細な説明は省略する。
この第２の実施形態のタペストリー２１は、上保持部材２２及び下保持部材２３の形態が、第１の実施形態の上保持部材５及び下保持部材６の形態と異なる。即ち、上保持部材２２は、横方向（軸方向）へ水平に延びる長尺な略円筒状をなしている。上保持部材２２の内部の構成は、上保持部材５と同一である。一方、下保持部材２３は、横方向（軸方向）に延びる長尺な略円筒状をなし、横方向の両端部２４，２４が、下保持部材２３の中央部２５よりも縦方向の変位寸法Ｈだけ下方へ下がる形態に形成されている。変位寸法Ｈ及び下保持部材２３の内部の構成は、第１の実施形態の変位寸法Ｈ及び下保持部材６と同一である。
【００２８】
尚、上保持部材２２及び下保持部材２３は、夫々、自身の形状を保つことができる材質からなっている。
そして、幕部材２の上端部２ｂが固着された上芯材３が、上保持部材２２の下空間（図示せず）に挿入されて保持され、幕部材２の下端部２ｃが取付けられた下芯材４が、下保持部材２３の上空間（図示せず）に挿入されて保持される。
【００２９】
下保持部材２３の内部に下芯材４が挿入されると、下芯材４は、下保持部材２３の形態に対応して、下芯材４の両端部が中央部よりも変位寸法Ｈだけ下方へ下がる形態になり、幕部材２は、横方向及び下方向に引っ張られた状態になる。従って、タペストリー２１が、タペストリー吊下げバー１９から吊下げられると、幕部材２は、下芯材４及び下保持部材２３の自重で下方へ引っ張られると共に、横方向へも引っ張られた状態になる。
この結果、第１の実施形態のタペストリー１と同様に、タペストリー２１を吊下げた時に、幕部材２にしわが発生することがない。
【００３０】
次に、本発明の第３の実施形態を、図５乃至図９を参照して説明する。
図５乃至図８に示すタペストリー３１は、上下方向に１８０度回転可能な幕部材３２を有している。幕部材３２は、図９に示すように、無端円環状をなし、一の面をなす表表示面部３２ａと、他の面をなす裏表示面部３２ｂとを有している。裏表示面部３２ｂは、表表示面部３２ａの反対側に位置しており、表表示面部３２ａ及び裏表示面部３２ｂの２面には、絵柄や広告等が付されている。そして、幕部材３２を図９中の矢印Ｙ方向へ引き操作すると、幕部材３２が同図中の矢印Ｙ方向及び矢印Ｙ´方向へスクロールし、表表示面部３２ａと裏表示面部３２ｂとの位置が入替わる構成になっている。例えば、図５に示すように、幕部材３２の正面に位置する表表示面部３２ａに「アイウエオ」の文字が付され、幕部材３２の背面に位置する裏表示面部３２ｂに「ＡＢＣＤＥ」の文字が付されている場合に、幕部材３２をスクロールさせて、表表示面部３２ａと裏表示面部３２ｂとの位置を入替えると、「アイウエオ」の文字が表示されていた箇所に「ＡＢＣＤＥ」の文字が位置する構成になる。
【００３１】
図５乃至図８に示すように、幕部材３２の上端部３２ｃには、上保持部材３３が設けられ、幕部材３２の下端部３２ｄには、下保持部材３４が設けられている。
下保持部材３４は、横方向（軸方向）に延びる長尺な形状で、横方向に対して垂直な断面が、図８に示すように、Ｕ字状をなし、開口部側が上方に位置して設けられる。この下保持部材３４の横方向の両端部３５，３５は、下保持部材３４の中央部３６よりも縦方向の変位寸法Ｈだけ下方へ下がる形態に形成されている。変位寸法Ｈは、第１の実施形態の変位寸法Ｈと同一である（図５参照）。
【００３２】
そして、図８に示すように、無端円環状の幕部材３２の内周側の下端部３２ｄに下保持部材３４が挿入されると、下保持部材３４の外周は幕部材３２の下端部３２ｄで覆われた形態になる。
【００３３】
上保持部材３３は、下保持部材３４と同形状をなし、横方向（軸方向）に延びる長尺な形状で、横方向に対して垂直な断面がＵ字状をなしているが、開口部側が下方に位置するように設けられる。従って、上保持部材３３の横方向の両端部３７，３７が、上保持部材３３の中央部３８よりも縦方向の変位寸法Ｈだけ上方へ上がる形態になる。
そして、無端円環状の幕部材３２の上端部３２ｃの内部に上保持部材３３が挿入されると、上保持部材３３の外周は幕部材３２の上端部３２ｃで覆われた形態になる。
【００３４】
幕部材３２の下端部３２ｄ及び上端部３２ｃの横方向には、図５及び図６に示すように、クリップ部材３９が複数個、例えば６個設けられている。
クリップ部材３９は、下保持部材３４（上保持部材３３）よりやや大きいＵ字状をなすクリップ本体部３９ａと、クリップ本体部３９ａの先端同士が互いに当接している挟持部３９ｂとから構成されている。そして、幕部材３２の下端部３２ｄで覆われた下保持部材３４（幕部材３２の上端部３２ｃで覆われた上保持部材３３）を、クリップ部材３９で留めると、幕部材３２の表表示面部３２ａと裏表示面部３２ｂとが張合わされた構成になり、幕部材３２の下端部３２ｄが下保持部材３４に固定され、幕部材３２の上端部３２ｃが上保持部材３３に固定される。
【００３５】
上保持部材３３の上方には、図５乃至図８に示すように、タペストリー吊下げバー４０が設けられている。タペストリー吊下げバー４０は、円筒状のパイプを屈曲して構成されており、横方向（軸方向）に延びる本体部４０ａと、本体部４０ａの横方向両端から下方に夫々延びる垂直部４０ｂ，４０ｂと、各垂直部４０ｂ，４０ｂの下端から互いが接近する方向に延びる水平部４０ｃ，４０ｃとから構成されている。そして、水平部４０ｃ、４０ｃが、上保持部材３３の内部に挿入されることにより、上保持部材３３の内周側の上部が水平部４０ｃに当接し、タペストリー３１はタペストリー吊下げバー４０から吊下げられた状態になる。尚、図示はしないが、タペストリー吊下げバー４０は、店舗内の壁等に設置されたフック等に掛けられている。
【００３６】
次に、上記のタペストリー３１の作用及び効果について説明する。
タペストリー３１が、タペストリー吊下げバー４０から吊下げられると、幕部材３２は、下保持部材３４の自重で下方へ引っ張られると共に、横方向、上方向へ引っ張られた状態になる。
【００３７】
尚、幕部材３２の正面に位置する表表示面部３２ａを、裏表示面部３２ｂに変更する場合には、クリップ部材３９を取外し、正面に裏表示面部３２ｂが位置するまで幕部材３２を前述したようにスクロールさせる。そして、再度、クリップ部材３９で、幕部材３２を下保持部材３４及び上保持部材３３に固定する。
【００３８】
この結果、第１の実施形態のタペストリー１と同様に、タペストリー３１を吊下げた時に、幕部材３２にしわが発生することがない。又、幕部材３２を無端円環状に形成し、表表示面部３２ａと裏表示面部３２ｂの２面に絵柄等を付す構成にしたので、タペストリー吊下げバー４０からタペストリー３１を取外すことなく、絵柄等を変更することができる。
【００３９】
次に、本発明の第４の実施形態を、図１０乃至図１２を参照して説明する。尚、上記第３の実施形態と同様な一部分には同符号を付し、その詳細な説明は省略する。
第４の実施形態のタペストリー３１の吊下げ方法が、第３の実施形態の吊下げ方法と異なる。即ち、第４の実施形態のタペストリー吊下げバー５１が、第３の実施形態のタペストリー吊下げバー４０と異なる。
【００４０】
タペストリー吊下げバー５１は、図１０乃至図１２に示すように、上保持部材３３の上方に設けられている。タペストリー吊下げバー５１は、横方向（軸方向）に延びる円筒状の本体部５１ａと、本体部５１ａの横方向両端部から下方に夫々突出する掛合部５１ｂ，５１ｂと、本体部５１ａの両端部から上方に夫々突出する引掛部５１ｃ，５１ｃとから構成されている。又、図１１に示すように、掛合部５１ｂには、掛合孔５１ｄが形成され、引掛部５１ｃには、引掛孔５１ｅが形成されている。
【００４１】
掛合部５１ｂ，５１ｂの掛合孔５１ｄ，５１ｄには、取付け部材としてのワイヤ部材５２の端部５２ａ，５２ａが通されている。ワイヤ部材５２の両端部５２ａ，５２ａは、カシメ部材５３によって、環状に締結されている。
【００４２】
そして、ワイヤ部材５２のワイヤ本体部５２ｂが、上保持部材３３の内部に挿入されることにより、上保持部材３３の内周側の上部がワイヤ本体部５２ｂに当接して引っ掛かった状態になり、タペストリー３１はタペストリー吊下げバー５１から吊下げられた状態になる。尚、図示はしないが、タペストリー吊下げバー５１の引掛部３１ｃの引掛孔５１ｅには、店舗内の壁等に設置されたフック等が通される。
【００４３】
この結果、タペストリー３１が、タペストリー吊下げバー５１から吊下げられても、第４の実施形態と同様の作用効果を奏し、幕部材３２に、しわが発生することはない。
【００４４】
尚、本発明は上記し且つ図面に示す実施形態に限定されず、次のような変形、拡張が可能である。
幕部材は、正方形又は縦長の矩形状でも良い。
第１及び第２の実施形態のタペストリーにおいて、タペストリーの上保持部材を、その長尺方向の両端部が、当該上保持部材の中央部よりも上方へ上がる形態に形成し、下保持部材を、その長尺方向の両端部が、当該下保持部材の中央部よりも下方へ下がる形態に形成しても良い。
【００４５】
第３及び第４の実施形態のタペストリーにおいて、上保持部材或いは下保持部材の一方を、幕部材の上辺或いは下辺に沿って横方向へ水平に延びる形状にしても良い。
第３及び第４の実施形態のタペストリーの上保持部材或いは下保持部材は、横方向に対して垂直な断面が、環状でも良い。
第１乃至第４の実施形態のタペストリーの寸法、材質等については、上記各実施形態に限定されず、適宜変更することができる。
【図面の簡単な説明】
【００４６】
【図１】本発明の第１の実施形態を示すタペストリーの正面図
【図２】図１中のＡ−Ａ線に沿って切断した断面図
【図３】図２中のＢ−Ｂ線に沿って切断した断面図
【図４】本発明の第２の実施形態を示すタペストリーの図１相当図
【図５】本発明の第３の実施形態を示すタペストリーの図１相当図
【図６】正面に裏表示面部を位置させた状態を示す図１相当図
【図７】上保持部材の端部の拡大図
【図８】図５中のＣ−Ｃ線に沿って切断した断面図
【図９】幕部材の表表示面部と裏表示面部とを入替える手順を説明するための断面図
【図１０】本発明の第４の実施形態を示すタペストリーの図１相当図
【図１１】図７相当図
【図１２】図１０中のＤ−Ｄ線に沿って切断した断面図
【図１３】従来のタペストリーを示す図１相当図
【符号の説明】
【００４７】
図面中、１，２１，３１はタペストリー、２，３２は幕部材、２ａ，３２ａは表表示面部、２ｂ，３２ｃは上端部、２ｃ，３２ｄは下端部、３は上芯材、４は下芯材、５，２２，３３は上保持部材、６，２３，３４は下保持部材、１１，２４，３５，３７は端部、１２，２５，３６，３８は中央部、３２ｂは裏表示面部を示す。
【図１】
2008284078.tif 000003
【図２】
2008284078.tif 000004
【図３】
2008284078.tif 000005
【図４】
2008284078.tif 000006
【図５】
2008284078.tif 000007
【図６】
2008284078.tif 000008
【図７】
2008284078.tif 000009
【図８】
2008284078.tif 000010
【図９】
2008284078.tif 000011
【図１０】
2008284078.tif 000012
【図１１】
2008284078.tif 000013
【図１２】
2008284078.tif 000014
【図１３】
2008284078.tif 000015
【手続補正書】
【提出日】平成19年8月2日(2007.8.2)
【手続補正１】
【補正対象書類名】特許請求の範囲
【補正対象項目名】請求項１
【補正方法】変更
【補正の内容】
【請求項１】
幕部材と、
この幕部材の下端部が取付けられる長尺な下保持部材と、
前記幕部材の上端部が取付けられる長尺な上保持部材とを備えたタペストリーにおいて、
前記幕部材は、前記下保持部材の自重で下方へ引っ張られ、
前記上保持部材を、その長尺方向の両端部が、当該上保持部材の中央部よりも、前記上保持部材の長尺方向の長さに対して０．２％〜１％だけ上方へ上がる形態に形成したことを特徴とするタペストリー。
【手続補正２】
【補正対象書類名】特許請求の範囲
【補正対象項目名】請求項２
【補正方法】変更
【補正の内容】
【請求項２】
幕部材と、
この幕部材の下端部が取付けられる長尺な下保持部材と、
前記幕部材の上端部が取付けられる長尺な上保持部材とを備えたタペストリーにおいて、
前記幕部材は、前記下保持部材の自重で下方へ引っ張られ、
前記下保持部材を、その長尺方向の両端部が、当該下保持部材の中央部よりも、前記下保持部材の長尺方向の長さに対して０．２％〜１％だけ下方へ下がる形態に形成したことを特徴とするタペストリー。
【手続補正３】
【補正対象書類名】明細書
【補正対象項目名】０００９
【補正方法】変更
【補正の内容】
【０００９】
上記目的を達成するために、請求項１の発明のタペストリーは、幕部材と、この幕部材の下端部が取付けられる長尺な下保持部材と、前記幕部材の上端部が取付けられる長尺な上保持部材とを備えたタペストリーにおいて、前記幕部材は、前記下保持部材の自重で下方へ引っ張られ、前記上保持部材を、その長尺方向の両端部が、当該上保持部材の中央部よりも、前記上保持部材の長尺方向の長さに対して０．２％〜１％だけ上方へ上がる形態に形成したことを特徴としている。
【手続補正４】
【補正対象書類名】明細書
【補正対象項目名】００１１
【補正方法】変更
【補正の内容】
【００１１】
又、上記目的を達成するために、請求項２の発明のタペストリーは、幕部材と、この幕部材の下端部が取付けられる長尺な下保持部材と、前記幕部材の上端部が取付けられる長尺な上保持部材とを備えたタペストリーにおいて、前記幕部材は、前記下保持部材の自重で下方へ引っ張られ、前記下保持部材を、その長尺方向の両端部が、当該下保持部材の中央部よりも、前記下保持部材の長尺方向の長さに対して０．２％〜１％だけ下方へ下がる形態に形成したことを特徴としている。
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
幕部材と、
この幕部材の下端部が取付けられる長尺な下保持部材と、
上芯材を備えた上保持部材とを備え、
前記上芯材は、長尺な板状をなし、
前記上保持部材は、長尺な略円筒状をなし、内部に上空間と下空間を形成させる中間壁が設けられ、外側壁に前記上空間と外部とが連通される上側スリットが形成され、この上側スリットの両側に前記中間壁側に延びる上側側壁部が形成され、前記外側壁に前記下空間と外部とが連通される下側スリットが形成され、この下側スリットの両側に前記中間壁側に延びる下側側壁部が形成され、更に、前記上保持部材の長尺方向の両端部が、中央部よりも、長尺方向の長さに対して０．２％〜１％だけ上方へ上がる形態に形成され、
前記幕部材の上端部が前記上芯材に巻付けられて固着され、この上芯材が前記中間壁と前記下側側壁部との間に挿入されて当該下側側壁部の上端部に水平向き状態に保持され、前記上保持部材により、当該上芯材の両端部が、中央部よりも、長尺方向の長さに対して０．２％〜１％だけ上方へ上がる形態にされ、
前記幕部材は、前記下保持部材の自重で下方へ引っ張られることを特徴とするタペストリー。
【請求項２】
幕部材と、
下芯材を備えた下保持部材と、
前記幕部材の上端部が取付けられる長尺な上保持部材とを備え、
前記下芯材は、長尺な板状をなし、
前記下保持部材は、長尺な略円筒状をなし、内部に上空間と下空間を形成させる中間壁が設けられ、外側壁に前記上空間と外部とが連通される上側スリットが形成され、この上側スリットの両側に前記中間壁側に延びる上側側壁部が形成され、前記外側壁に前記下空間と外部とが連通される下側スリットが形成され、前記上側スリットの両側に前記中間壁側に延びる上側側壁部が形成され、更に、前記下保持部材の長尺方向の両端部が、中央部よりも、長尺方向の長さに対して０．２％〜１％だけ下方へ下がる形態に形成され、
前記幕部材の下端部が前記下芯材に巻付けられて固着され、この下芯材が前記中間壁と前記上側側壁部との間に挿入されて当該上側側壁部の下端部に水平向き状態に保持され、前記下保持部材により、当該下芯材の両端部が、中央部よりも、長尺方向の長さに対して０．２％〜１％だけ下方へ下がる形態にされ、
前記幕部材は、前記下保持部材の自重で下方へ引っ張られることを特徴とするタペストリー。
【手続補正２】
【補正対象書類名】明細書
【補正対象項目名】０００９
【補正方法】変更
【補正の内容】
【０００９】
上記目的を達成するために、請求項１の発明のタペストリーは、幕部材と、この幕部材の下端部が取付けられる長尺な下保持部材と、上芯材を備えた上保持部材とを備え、前記上芯材は、長尺な板状をなし、前記上保持部材は、長尺な略円筒状をなし、内部に上空間と下空間を形成させる中間壁が設けられ、外側壁に前記上空間と外部とが連通される上側スリットが形成され、この上側スリットの両側に前記中間壁側に延びる上側側壁部が形成され、前記外側壁に前記下空間と外部とが連通される下側スリットが形成され、この下側スリットの両側に前記中間壁側に延びる下側側壁部が形成され、更に、前記上保持部材の長尺方向の両端部が、中央部よりも、長尺方向の長さに対して０．２％〜１％だけ上方へ上がる形態に形成され、前記幕部材の上端部が前記上芯材に巻付けられて固着され、この上芯材が前記中間壁と前記下側側壁部との間に挿入されて当該下側側壁部の上端部に水平向き状態に保持され、前記上保持部材により、当該上芯材の両端部が、中央部よりも、長尺方向の長さに対して０．２％〜１％だけ上方へ上がる形態にされ、前記幕部材は、前記下保持部材の自重で下方へ引っ張られることを特徴としている。
【手続補正３】
【補正対象書類名】明細書
【補正対象項目名】００１１
【補正方法】変更
【補正の内容】
【００１１】
又、上記目的を達成するために、請求項２の発明のタペストリーは、  幕部材と、下芯材を備えた下保持部材と、前記幕部材の上端部が取付けられる長尺な上保持部材とを備え、前記下芯材は、長尺な板状をなし、前記下保持部材は、長尺な略円筒状をなし、内部に上空間と下空間を形成させる中間壁が設けられ、外側壁に前記上空間と外部とが連通される上側スリットが形成され、この上側スリットの両側に前記中間壁側に延びる上側側壁部が形成され、前記外側壁に前記下空間と外部とが連通される下側スリットが形成され、前記上側スリットの両側に前記中間壁側に延びる上側側壁部が形成され、更に、前記下保持部材の長尺方向の両端部が、中央部よりも、長尺方向の長さに対して０．２％〜１％だけ下方へ下がる形態に形成され、前記幕部材の下端部が前記下芯材に巻付けられて固着され、この下芯材が前記中間壁と前記上側側壁部との間に挿入されて当該上側側壁部の下端部に水平向き状態に保持され、前記下保持部材により、当該下芯材の両端部が、中央部よりも、長尺方向の長さに対して０．２％〜１％だけ下方へ下がる形態にされ、前記幕部材は、前記下保持部材の自重で下方へ引っ張られることを特徴としている。
【手続補正４】
【補正対象書類名】明細書
【補正対象項目名】００１７
【補正方法】変更
【補正の内容】
【００１７】
下保持部材６は、樹脂、例えばポリプロピレンからなり、横方向（軸方向）に延びる長尺な略円筒状をなしている。下保持部材６は、具体的には、図２に示すように、中間壁６ａと、この中間壁６ａの左右端（図２の左右端）から夫々円弧状に形成された外側壁６ｂ，６ｃ，６ｄ，６ｅと、外側壁６ｂ，６ｃの上端から下方に延びる（上側）側壁部６ｆ，６ｆと、外側壁６ｄ，６ｅの下端から上方に延びる（下側）側壁部６ｇ，６ｇとからなり、これらが一体に形成されている。側壁部６ｆ，６ｆ間には（上側）スリット７が形成され、側壁部６ｇ，６ｇ間には（下側）スリット８が形成されている。中間壁６ａ、外側壁６ｂ，６ｃにより上空間９が形成され、上空間９は、スリット７を介して外部に連通している。又、中間壁６ａ、外側壁６ｄ，６ｅにより下空間１０が形成され、下空間１０は、スリット８を介して外部に連通している。
【手続補正５】
【補正対象書類名】明細書
【補正対象項目名】００２０
【補正方法】変更
【補正の内容】
【００２０】
上保持部材５は、具体的には、図２に示すように、中間壁５ａと、この中間壁５ａの左右端（図２の左右端）から夫々円弧状に形成された外側壁５ｂ，５ｃ，５ｄ，５ｅと、外側壁５ｂ，５ｃの上端から下方に延びる（上側）側壁部５ｆ，５ｆと、外側壁５ｄ，５ｅの下端から上方に延びる（下側）側壁部５ｇ，５ｇとからなり、これらが一体に形成されている。側壁部５ｆ，５ｆ間には（上側）スリット１３が形成され、側壁部５ｇ，５ｇ間には（下側）スリット１４が形成されている。中間壁５ａ、外側壁５ｂ，５ｃにより上空間１５が形成され、上空間１５は、スリット１３を介して外部に連通している。又、中間壁５ａ、外側壁５ｄ，５ｅにより下空間１６が形成され、下空間１６は、スリット１４を介して外部に連通している。
【手続補正６】
【補正対象書類名】明細書
【補正対象項目名】００３０
【補正方法】変更
【補正の内容】
【００３０】
次に、第１の参考例を、図５乃至図９を参照して説明する。
図５乃至図８に示すタペストリー３１は、上下方向に１８０度回転可能な幕部材３２を有している。幕部材３２は、図９に示すように、無端円環状をなし、一の面をなす表表示面部３２ａと、他の面をなす裏表示面部３２ｂとを有している。裏表示面部３２ｂは、表表示面部３２ａの反対側に位置しており、表表示面部３２ａ及び裏表示面部３２ｂの２面には、絵柄や広告等が付されている。そして、幕部材３２を図９中の矢印Ｙ方向へ引き操作すると、幕部材３２が同図中の矢印Ｙ方向及び矢印Ｙ´方向へスクロールし、表表示面部３２ａと裏表示面部３２ｂとの位置が入替わる構成になっている。例えば、図５に示すように、幕部材３２の正面に位置する表表示面部３２ａに「アイウエオ」の文字が付され、幕部材３２の背面に位置する裏表示面部３２ｂに「ＡＢＣＤＥ」の文字が付されている場合に、幕部材３２をスクロールさせて、表表示面部３２ａと裏表示面部３２ｂとの位置を入替えると、「アイウエオ」の文字が表示されていた箇所に「ＡＢＣＤＥ」の文字が位置する構成になる。
【手続補正７】
【補正対象書類名】明細書
【補正対象項目名】００３９
【補正方法】変更
【補正の内容】
【００３９】
次に、第２の参考例を、図１０乃至図１２を参照して説明する。尚、上記第１の参考例と同様な一部分には同符号を付し、その詳細な説明は省略する。
第２の参考例のタペストリー３１の吊下げ方法が、第１の参考例の吊下げ方法と異なる。即ち、第２の参考例のタペストリー吊下げバー５１が、第１の参考例のタペストリー吊下げバー４０と異なる。
【手続補正８】
【補正対象書類名】明細書
【補正対象項目名】００４５
【補正方法】変更
【補正の内容】
【００４５】
第１及び第２の参考例のタペストリーにおいて、上保持部材或いは下保持部材の一方を、幕部材の上辺或いは下辺に沿って横方向へ水平に延びる形状にしても良い。
第１及び第２の参考例のタペストリーの上保持部材或いは下保持部材は、横方向に対して垂直な断面が、環状でも良い。
第１乃至第２の実施形態のタペストリーの寸法、材質等については、上記各実施形態に限定されず、適宜変更することができる。
【手続補正９】
【補正対象書類名】明細書
【補正対象項目名】００４６
【補正方法】変更
【補正の内容】
【００４６】
【図１】本発明の第１の実施形態を示すタペストリーの正面図
【図２】図１中のＡ−Ａ線に沿って切断した断面図
【図３】図２中のＢ−Ｂ線に沿って切断した断面図
【図４】本発明の第２の実施形態を示すタペストリーの図１相当図
【図５】第１の参考例を示すタペストリーの図１相当図
【図６】正面に裏表示面部を位置させた状態を示す図１相当図
【図７】上保持部材の端部の拡大図
【図８】図５中のＣ−Ｃ線に沿って切断した断面図
【図９】幕部材の表表示面部と裏表示面部とを入替える手順を説明するための断面図
【図１０】第２の参考例を示すタペストリーの図１相当図
【図１１】図７相当図
【図１２】図１０中のＤ−Ｄ線に沿って切断した断面図
【図１３】従来のタペストリーを示す図１相当図
【手続補正１０】
【補正対象書類名】明細書
【補正対象項目名】００４７
【補正方法】変更
【補正の内容】
【００４７】
図面中、１，２１，３１はタペストリー、２，３２は幕部材、２ａ，３２ａは表表示面部、２ｂ，３２ｃは上端部、２ｃ，３２ｄは下端部、３は上芯材、４は下芯材、５，２２，３３は上保持部材、５ａ，６ａは中間壁、５ｂ，５ｃ，５ｄ，５ｅ，６ｂ，６ｃ，６ｄ，６ｅは外側壁、５ｆ，６ｆは（上側）側壁部、５ｇ，６ｇは（下側）側壁部、６，２３，３４は下保持部材、７，１３は（上側）スリット、８，１４は（下側）スリット、９，１５は上空間、１０，１６は下空間、１１，２４，３５，３７は端部、１２，２５，３６，３８は中央部、３２ｂは裏表示面部を示す。
【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
幕部材と、
この幕部材の下端部が取付けられる長尺な下保持部材と、
上芯材を備えた上保持部材とを備え、
前記上芯材は、長尺な板状をなし、
前記上保持部材は、長尺な略円筒状をなし、内部に上空間と下空間を形成させる中間壁が設けられ、外側壁に前記上空間と外部とが連通される上側スリットが形成され、この上側スリットの両側に前記中間壁側に延びる上側側壁部が形成され、前記外側壁に前記下空間と外部とが連通される下側スリットが形成され、この下側スリットの両側に前記中間壁側に延びる下側側壁部が形成され、更に、前記上保持部材の長尺方向の両端部が、中央部よりも、長尺方向の長さに対して０．２％〜１％だけ上方へ上がる形態に形成され、
前記幕部材の上端部が前記上芯材に巻付けられて固着され、この上芯材が前記中間壁と前記下側側壁部との間に挿入されて当該下側側壁部の上端部に水平向き状態に保持され、前記上保持部材により、当該上芯材の両端部が、中央部よりも、長尺方向の長さに対して０．２％〜１％だけ上方へ上がる形態にされ、
前記幕部材は、前記下保持部材の自重で下方へ引っ張られることを特徴とするタペストリー。
【請求項２】
幕部材と、
下芯材を備えた下保持部材と、
前記幕部材の上端部が取付けられる長尺な上保持部材とを備え、
前記下芯材は、長尺な板状をなし、
前記下保持部材は、長尺な略円筒状をなし、内部に上空間と下空間を形成させる中間壁が設けられ、外側壁に前記上空間と外部とが連通される上側スリットが形成され、この上側スリットの両側に前記中間壁側に延びる上側側壁部が形成され、前記外側壁に前記下空間と外部とが連通される下側スリットが形成され、この下側スリットの両側に前記中間壁側に延びる下側側壁部が形成され、更に、前記下保持部材の長尺方向の両端部が、中央部よりも、長尺方向の長さに対して０．２％〜１％だけ下方へ下がる形態に形成され、
前記幕部材の下端部が前記下芯材に巻付けられて固着され、この下芯材が前記中間壁と前記上側側壁部との間に挿入されて当該上側側壁部の下端部に水平向き状態に保持され、前記下保持部材により、当該下芯材の両端部が、中央部よりも、長尺方向の長さに対して０．２％〜１％だけ下方へ下がる形態にされ、
前記幕部材は、前記下保持部材の自重で下方へ引っ張られることを特徴とするタペストリー。
【手続補正２】
【補正対象書類名】明細書
【補正対象項目名】００１１
【補正方法】変更
【補正の内容】
【００１１】
又、上記目的を達成するために、請求項２の発明のタペストリーは、幕部材と、下芯材を備えた下保持部材と、前記幕部材の上端部が取付けられる長尺な上保持部材とを備え、前記下芯材は、長尺な板状をなし、前記下保持部材は、長尺な略円筒状をなし、内部に上空間と下空間を形成させる中間壁が設けられ、外側壁に前記上空間と外部とが連通される上側スリットが形成され、この上側スリットの両側に前記中間壁側に延びる上側側壁部が形成され、前記外側壁に前記下空間と外部とが連通される下側スリットが形成され、この下側スリットの両側に前記中間壁側に延びる下側側壁部が形成され、更に、前記下保持部材の長尺方向の両端部が、中央部よりも、長尺方向の長さに対して０．２％〜１％だけ下方へ下がる形態に形成され、前記幕部材の下端部が前記下芯材に巻付けられて固着され、この下芯材が前記中間壁と前記上側側壁部との間に挿入されて当該上側側壁部の下端部に水平向き状態に保持され、前記下保持部材により、当該下芯材の両端部が、中央部よりも、長尺方向の長さに対して０．２％〜１％だけ下方へ下がる形態にされ、前記幕部材は、前記下保持部材の自重で下方へ引っ張られることを特徴としている。